(57)【要約】【課題】マクロメニュー作成方法に関し、オペレーションを実行することなく、マクロメニューを作成する。【解決手段】オペレーションシステムによりサポートされている複数のメニューを格納した第１の記憶手段５と、マクロメニュー作成手段６とを有し、マクロメニュー作成手段６を起動して追加マクロメニュー画面を開き、この追加マクロメニュー画面を用いてマクロメニュー名を入力し、且つ第１の記憶手段５からメニュー名を読出してメニューリストを一覧表示し、この一覧表示されたメニューリストの中から順次メニュー名を選択し、選択した複数のメニュー名とマクロメニュー名とを関連付けて第２の記憶手段８にマクロメニューリストとして登録する過程を含むものである。【選択図】      図１
2004171098.tif 000002
【特許請求の範囲】
【請求項１】
オペレーションシステムによりサポートされている複数のメニューを格納した第１の記憶手段とマクロメニュー作成手段とを有し、
前記マクロメニュー作成手段を起動して追加マクロメニュー画面を開き、該追加マクロメニュー画面を用いてマクロメニュー名を入力し、且つ前記第１の記憶手段からメニュー名を読出してメニューリストとして一覧表示し、該一覧表示されたメニューリストの中から順次メニュー名を選択し、選択した複数のメニュー名と前記マクロメニュー名とを関連付けて第２の記憶手段にマクロメニューリストとして登録する過程を含む
ことを特徴とするマクロメニュー作成方法。
【請求項２】
入力した前記マクロメニュー名に対して、前記一覧表示したメニュー名から選択した複数のメニュー名と、入力したメモ情報とを関連付けて前記マクロメニューリストとして前記第２の記憶手段に登録する過程を含むことを特徴とする請求項１記載のマクロメニュー作成方法。
【請求項３】
前記マクロメニュー作成手段を起動して、メイン画面を開き、該メイン画面のプルダウンメニューの選択による追加マクロメニュー画面，修正マクロメニュー画面，削除マクロメニュー画面又は起動マクロメニュー画面の何れかを開いて、マクロメニューの追加，修正，削除，起動を行い、前記追加マクロメニュー画面を開いてマクロメニューの作成，追加を行う時に、マクロメニュー名を入力し、前記第１の記憶手段から読出したメニュー名の一覧表示内容から順次メニュー名を選択し、選択されたメニュー名と前記マクロメニュー名とを関連付けて、前記第２の記憶手段にマクロメニューリストとして登録する過程を含むことを特徴とする請求項１記載のマクロメニュー作成方法。
【請求項４】
前記メイン画面のプルダウンメニューの修正マクロメニューを選択して前記第２の記憶手段に登録されたマクロメニュー名の一覧を表示し、該一覧表示されたマクロメニュー名から修正するマクロメニュー名を選択し、選択されたマクロメニュー名に対応したマクロメニューリストを前記第２の記憶手段から読出して一覧表示し、該マクロメニューリストの順序の変更又は前記第１の記憶手段から読出して一覧表示したメニューから選択したメニューを追加して、前記第２の記憶手段に修正したマクロメニューリストを登録する過程を含むことを特徴とする請求項１又は２又は３記載のマクロメニュー作成方法。
【請求項５】
前記メイン画面のプルダウンメニューの起動マクロメニューを選択して、起動マクロメニュー画面を開き、前記第２の記憶手段に登録されたマクロメニュー名を読出して一覧表示し、該一覧表示されたマクロメニュー名から起動するマクロメニュー名を選択し、選択したマクロメニュー名に対応したメニューの実行毎に入力するデータをマクロ記憶情報として第３の記憶手段に記憶し、該第３の記憶手段に記憶された前記マクロ記憶情報を一覧表示し、該一覧表示されたマクロ記憶情報の中から前記入力するデータを選択する過程を含むことを特徴とする請求項１乃至４の何れか１項記載のマクロメニュー作成方法。
【発明の詳細な説明】
【０００１】
【発明の属する技術分野】
本発明は、オペレーションシステムによりサポートされているメニューの一覧表示から所望のメニューを順次選択することにより、実際のオペレーションを行うことなく、マクロメニューを作成するマクロメニュー作成方法に関する。
【０００２】
【従来の技術】
ユーザが特定のユースケースを実現する為に、複数のメニューを順次選択して実行する必要がある場合、選択しなければならないメニューが多数の場合や、点在している場合には、選択手順に誤りが発生したり、又は選択洩れが発生したりすることが多くなる。又同様の処理を繰り返す場合は、複数のメニューを再度順次選択することを繰り返す必要があり、操作が煩雑となる問題がある。そこで、このような点を改善する為にマクロ機能が適用されている。
【０００３】
このマクロ機能は、従来、ユーザが所望の操作の開始と終了とを指定することにより、その間で実行した複数のメニューを記録してマクロ化する手段や、ユーザが操作した総てのメニューを記録して、その中からマクロ化するメニューをユーザが選択する手段が知られている。
【０００４】
この従来のマクロ機能として、所望の操作の開始と終了とを指定する場合、将来繰り返し利用することを想定した複数の操作について開始と終了とを指定するものであるから、オペレーション実行後の結果を見た後に、過去に逆上って指定することができないものである。又総ての操作を記憶して、その中から選択する場合、総ての操作履歴を表示し、その表示内容から目視により所望の操作を順次選択してマクロ化するものあるから、多数の操作履歴の中から選択する為の操作が煩雑となる問題がある。そこで、特定データを検索キーとし、その特定データの作成に関連する総ての操作を操作履歴から一括抽出し、その抽出した操作の中から選択してマクロ化する手段が知られている（例えば、特許文献１参照）。
【０００５】
【特許文献１】
特開平１０−２１１９２号公報
【０００６】
【発明が解決しようとする課題】
前述の従来のマクロメニューの作成に於いては、一旦オペレーションを実行し、その操作履歴等を記憶する必要あった。その為、マクロメニューのみを作成する場合に於いても、一連のオペレーションを実行する必要があり、そのオペレーションの実行により、データベース等のデータの更新，追加が行われるから、マクロメニュー作成後は、システムをマクロメニュー作成前の状態に戻す必要がある。従って、システムリセット等により前の状態に戻すことができない場合が一般的であるから、操作性が低い問題があった。又マクロメニューの実行により、複数のメニューの順次起動が容易となるが、その都度、データを入力することが必要となる問題がある。
【０００７】
本発明は、実際のオペレーションの実行を行うことなく、マクロメニューの作成を可能して、操作性を向上することを目的とする。
【０００８】
【課題を解決するための手段】
本発明のマクロメニュー作成方法は、オペレーションシステムによりサポートされている複数のメニューを格納した第１の記憶手段とマクロメニュー作成手段とを有し、マクロメニュー作成手段を起動して追加マクロメニュー画面を開き、この追加マクロメニュー画面を用いてマクロメニュー名を入力し、且つ第１の記憶手段からメニュー名を読出してメニューリストとして一覧表示し、この一覧表示されたメニューリストの中から順次メニュー名を選択し、選択した複数のメニュー名とマクロメニュー名とを関連付けて第２の記憶手段にマクロメニューリストとして登録する過程を含むものである。
【０００９】
又入力したマクロメニュー名に対して、一覧表示したメニュー名から選択した複数のメニュー名と、入力したメモ情報とを関連付けてマクロメニューリストとして第２の記憶手段に登録する過程を含むことができる。又マクロメニュー作成手段を起動して、メイン画面を開き、このメイン画面のプルダウンメニューの選択による追加マクロメニュー画面，修正マクロメニュー画面，削除マクロメニュー画面又は起動マクロメニュー画面の何れかを開いて、マクロメニューの追加，修正，削除，起動を行い、追加マクロメニュー画面を開いてマクロメニューの作成，追加を行う時に、マクロメニュー名を入力し、第１の記憶手段から読出したメニュー名の一覧表示内容から順次メニュー名を選択し、選択されたメニュー名とマクロメニュー名とを関連付けて、第２の記憶手段にマクロメニューリストとして登録する過程を含むことができる。
【００１０】
又メイン画面のプルダウンメニューの修正マクロメニューを選択して第２の記憶手段に登録されたマクロメニュー名の一覧を表示し、この一覧表示されたマクロメニュー名から修正するマクロメニュー名を選択し、選択されたマクロメニュー名に対応したマクロメニューリストを第２の記憶手段から読出して一覧表示し、マクロメニューリストの順序の変更又は第１の記憶手段から読出して一覧表示したメニューから選択したメニューを追加して、第２の記憶手段に修正したマクロメニューリストを登録する過程を含むことができる。
【００１１】
又メイン画面のプルダウンメニューの起動マクロメニューを選択して、起動マクロメニュー画面を開き、第２の記憶手段に登録されたマクロメニュー名を読出して一覧表示し、この一覧表示されたマクロメニュー名から起動するマクロメニュー名を選択し、選択したマクロメニュー名に対応したメニューの実行毎に入力するデータをマクロ記憶情報として第３の記憶手段に記憶し、この第３の記憶手段に記憶されたマクロ記憶情報を一覧表示し、一覧表示されたマクロ記憶情報の中から前記入力するデータを選択する過程を含むことができる。
【００１２】
【発明の実施の形態】
図１は本発明の実施の形態の機能ブロック図であり、１はユーザインタフェース部、２はメニュー実行手段、３は管理情報検索手段、４はデータベース、５は第１の記憶手段、６はマクロメニュー作成手段、７はメニュー検索手段、８は第２の記憶手段、９はマクロメニュー実行手段、１０はマクロメニュー検索手段、１１は第３の記憶手段、１２はマクロ記憶情報検索手段、１３はメモ情報作成手段、１４はメモ情報表示手段を示す。
【００１３】
ユーザインタフェース部１は、キーボードやマウス等の入力手段と、各種の画面を表示できる表示手段等を含む構成を有する。又第１，第２，第３の記憶手段５，８，１１及びデータベース４は、半導体メモリやハードディスク装置等の各種の記憶手段により構成することができる。又それ以外のマクロメニュー作成手段６，マクロメニュー実行手段９，メニュー実行手段２等の手段は、プロセッサの処理機能によって実現することができる。
【００１４】
通常のメニュー実行時は、ユーザインタフェース部１からメニュー実行手段２に対して実行指示を行い、メニュー実行手段２による処理に従って、管理情報検索手段３は、データベース４から管理情報一覧を読出してユーザインタフェース部１に転送して表示させ、ユーザの選択に従って、メニュー実行手段２に管理情報を取り込むように指示する。オペレーション実行後は、メニュー実行手段２は、管理情報をデータベース４に記憶させる。
【００１５】
本発明の実施の形態のマクロメニューの作成に於いては、第１の記憶手段５にオペレーションシステムでサポートされているメニューを格納し、ユーザインタフェース部１からマクロメニュー作成手段６を起動すると、このマクロメニュー作成手段６は、メニュー検索手段７に指示し、全メニュー名取得として示すように、第１の記憶手段５からメニュー名を取得してユーザインタフェース部１に転送し、メニュー一覧を表示させる。
【００１６】
ユーザは、ユーザインタフェース部１の表示手段に表示されたメニュー一覧表示の中のマクロメニューを構成する為のメニューを選択する。又マクロメニュー名を入力する。このマクロメニュー名と選択した複数のメニューとを関連付けてマクロメニューリストとして、第２の記憶手段８に登録する。又この時に、メモ情報作成手段１３を起動して、ユーザがマクロメニューに関連するメモ情報を入力すると、このメモ情報をマクロメニューリストに加えて、第２の記憶手段８に登録する。このメモ情報は、メモ情報表示手段１４の処理に従ってユーザインタフェース部１の表示手段に表示することができる。前述のように、オペレーションを実行することなく、マクロメニューを作成して第２の記憶手段８に格納することができる。
【００１７】
マクロメニューを実行する場合は、ユーザインタフェース部１からマクロメニュー実行手段９を起動する。マクロメニュー実行手段９は、マクロメニュー検索手段１０に指示し、全マクロメニュー名取得として示すように、第２の記憶手段８からマクロメニュー名を読出してマクロメニュー実行手段９に転送する。マクロメニュー実行手段９は、マクロメニューリストに従って、順次メニュー実行手段２を起動する。
【００１８】
又マクロメニュー実行手段９からメニュー実行手段２が起動されると、マクロ記憶情報検索手段１２により第３の記憶手段１１に記憶されたデータを読出して、ユーザインタフェース部１の表示手段に一覧表示させ、ユーザがユーザインタフェース部１の入力手段により選択入力することを可能とする。従って、繰り返し同一のデータを入力する操作を省くことができる。又メニュー実行手段２の実行時にユーザが入力したデータを第３の記憶手段１１に記憶させる。
【００１９】
図２は表示画面の説明図であり、図１のユーザインタフェース部１の表示手段に表示されたメイン（Ｍａｉｎ）画面２１と、そのメニューバーのマクロ（Ｍａｃｒｏ）を選択したプルダウンメニュー２２とを示す。なお、メニューバーは、Ｆｉｌｅ，Ｅｄｉｔ，Ｖｉｅｗ，Ｏｐｅｒａｔｉｏｎｓ，Ｈｅｌｐを含む場合を示している。又プルダウンメニュー２２は、追加マクロメニューＡｄｄ  Ｍａｃｒｏ  Ｍｅｎｕと、更新マクロメニューＭｏｄｉｆｙ  Ｍａｃｒｏ  Ｍｅｎｕと、削除マクロメニューＤｅｌｅｔｅ  Ｍａｃｒｏ  Ｍｅｎｕと、起動マクロメニューＳｔａｒｔ  Ｍａｃｒｏ  Ｍｅｎｕとを含む場合を示す。
【００２０】
又メイン画面２１のプルダウンメニュー２２のメニュー選択により、追加マクロメニュー（Ａｄｄ  Ｍａｃｒｏ  Ｍｅｎｕ）画面、更新マクロメニュー（Ｍｏｄｉｆｙ  Ｍａｃｒｏ  Ｍｅｎｕ）画面、削除マクロメニュー（Ｄｅｌｅｔｅ  Ｍａｃｒｏ  Ｍｅｎｕ）画面、起動マクロメニュー（Ｓｔａｒｔ  Ｍａｃｒｏ  Ｍｅｎｕ）画面が開かれる。
【００２１】
以下ネットワークシステムに適用した場合を例にして説明する。ユーザインタフェース部１からマクロメニュー作成手段６を起動することにより、図２に示すメイン画面２１がユーザインタフェース部１の表示手段に表示される。このメイン画面２１のプルダウンメニュー２２のＡｄｄ  Ｍａｃｒｏ  Ｍｅｎｕを選択すると、図３の（Ａ）の追加マクロメニュー（Ａｄｄ  Ｍａｃｒｏ  Ｍｅｎｕ）画面が表示される。初期状態に於いては、このＡｄｄ  Ｍａｃｒｏ  Ｍｅｎｕ画面のＭａｃｒｏ  Ｍｅｎｕ  Ｎａｍｅ欄及びＭｅｎｕ  Ｌｉｓｔ欄は空白の状態として表示される。ユーザは、ユーザインタフェース部１の入力手段からＭａｃｒｏ  Ｍｅｎｕ  Ｎａｍｅ欄にマクロメニュー名を入力する。図３の（Ａ）に於いては、「１．Ｇｒｏｕｐ登録〜Ｌｉｎｋ登録」を入力した状態を示す。又ＡｄｄＭｅｎｕ，Ａｄｄ  Ｍｅｍｏ，Ｒｅｍｏｖｅ，Ｕｐ，Ｄｏｗｎ，ＯＫ，Ａｐｐｌｙ，Ｃａｎｃｅｌのクリックボタンを表示した場合を示す。
【００２２】
又Ａｄｄ  Ｍｅｎｕボタンをクリックすると、（Ｂ）に示す追加メニュー（Ａｄｄ  Ｍｅｎｕ）画面が表示され、又Ａｄｄ  Ｍｅｍｏボタンをクリックすると、（Ｃ）に示す追加メモ（Ａｄｄ  Ｍｅｍｏ）画面が表示され、ＯＫボタン又はＡｐｐｌｙボタンをクリックすると、マクロメニュー保存の処理が行われる。
【００２３】
図３の（Ｂ）のＡｄｄ  Ｍｅｎｕ画面は、オペレーションシステムでサポートされているメニュー名が一覧表示された状態を示す。即ち、第１の記憶手段に登録されたメニュー名がメニュー検索手段７の処理により、全メニュー名取得として示すように読出されて、Ａｄｄ  Ｍｅｎｕ画面のＭｅｎｕ  Ｌｉｓｔ欄に一覧表示される。この一覧表示されたメニュー名の中から選択してＯＫボタンをクリックすると、選択したメニュー名が、図３の（Ａ）のＭｅｎｕ  Ｌｉｓｔ欄に追加され、Ａｄｄ  Ｍｅｎｕ画面は閉じられる。
【００２４】
なお、この場合、Ａｐｐｌｙボタンをクリックすると、選択したメニューが、ＯＫボタンをクリックした場合と同様に、図３の（Ａ）に於けるＭｅｎｕ  Ｌｉｓｔ欄に追加され、Ａｄｄ  Ｍｅｎｕ画面は開いたままとなる。即ち、メニュー名を順次選択して追加することができる。又Ｃａｎｃｅｌボタンをクリックすると、図３の（Ａ）のＡｄｄ  Ｍａｃｒｏ  Ｍｅｎｕ画面に戻る。図３の（Ａ）に於けるＭｅｎｕ  Ｌｉｓｔ欄に、前述のようなメニュー選択の操作と、Ａｄｄ  Ｍｅｍｏ画面を用いたメモ情報の入力とに従って、「Ａｄｄ  Ｇｒｏｕｐ」，「Ａｄｄ  ＮＥ」，「Ｍｅｍｏ」，「Ａｄｄ  Ｌｉｎｋ」のマクロメニューリストが表示される。
【００２５】
又Ｍｅｎｕ  Ｌｉｓｔ欄のメニューを選択して、Ｕｐボタンをクリックすると、選択したメニューの位置が上方に移動する。又Ｄｏｗｎボタンをクリックすると、選択したメニューの位置が下方に移動する。即ち、マクロメニューの中のメニューの順序が実行順序を示すものであるから、メニューの実行順序を変更することができる。
【００２６】
又Ａｄｄ  Ｍｅｍｏボタンをクリックすることにより開かれた図３の（Ｃ）のＡｄｄ  Ｍｅｍｏ画面は、図１に於けるメモ情報作成手段１３により作成して、マクロメニューのメモとして第２の記憶手段８に格納する場合の入力内容の一例を示すもので、「注意：高速のＬｉｎｋを接続すること。」として、このマクロメニューについては、ネットワークシステムに於ける低速Ｌｉｎｋではなく、高速Ｌｉｎｋに接続することを条件としたメモを作成した場合を示す。そして、ＯＫボタンをクリックすると、前述の図３の（Ａ）のＭｅｎｕ  Ｌｉｓｔ欄に、Ｍｅｍｏとして表示され、マクロメニューリストに付加される。
【００２７】
図４及び図５は、マクロメニューの編集を行う場合の表示画面を示し、図２のメイン画面２１のプルダウンメニュー２２のＭｏｄｉｆｙ  Ｍａｃｒｏ  Ｍｅｎｕを選択することにより、図４の（Ａ）に示すＳｅａｒｃｈ  Ｍａｃｒｏ  Ｍｅｎｕ画面が、ユーザインタフェース部１（図１参照）の表示手段に表示される。この画面のＭａｃｒｏ  Ｍｅｎｕ  Ｌｉｓｔ欄には、第２の記憶手段８（図１参照）に登録されたマクロメニュー名が読出されて一覧表示されるもので、「１．Ｇｒｏｕｐ登録〜Ｌｉｎｋ登録」と、「２．Ｓｈｅｌｆ増設」と、「３．パス開通」とが表示された場合を示す。
【００２８】
そして、Ｍａｃｒｏ  Ｍｅｎｕ  Ｌｉｓｔ欄の「１．Ｇｒｏｕｐ登録〜Ｌｉｎｋ登録」を選択すると、図４の（Ｂ）に示す更新マクロメニュー（ＭｏｄｉｆｙＭａｃｒｏ  Ｍｅｎｕ）画面が表示される。前述の操作によりマクロメニューを作成して、第２の記憶手段８に登録した場合、図３の（Ａ）のマクロメニュー作成時の表示画面と同様の表示画面となる。そして、ＯＫボタンをクリックすると、マクロメニュー更新となる。
【００２９】
又図４の（Ｂ）の表示画面に於いて、Ａｄｄ  Ｍｅｎｕボタンをクリックすると、図５の（Ｃ）に示すＡｄｄ  Ｍｅｎｕ画面となる。なお、図４の（Ｂ）のＭｏｄｉｆｙ  Ｍａｃｒｏ  Ｍｅｎｕ画面のＭｅｎｕ  Ｌｉｓｔ欄のメニューの順序を変更し、且つ「Ｅｄｉｔ  Ｌｉｎｋ」のメニューを追加した内容を示している。そして、ＯＫボタンをクリックすると、このメニューリストに従って、図４の（Ｂ）に示すＭｏｄｉｆｙ  Ｍａｃｒｏ  Ｍｅｎｕ画面のＭｅｎｕ  Ｌｉｓｔ欄が更新され、Ａｄｄ  Ｍｅｎｕ画面は閉じられる。
【００３０】
又図４の（Ｂ）の表示画面に於いて、Ａｄｄ  Ｍｅｍｏボタンをクリックすると、図５の（Ｄ）に示すＡｄｄ  Ｍｅｍｏ画面が表示され、ユーザインタフェース部１の入力手段によるメモ情報が表示される。この場合もＯＫボタンをクリックすると、図４の（Ｂ）に示すＭｏｄｉｆｙ  Ｍａｃｒｏ  Ｍｅｎｕ画面のＭｅｎｕ  Ｌｉｓｔ欄が更新され、Ａｄｄ  Ｍｅｍｏ画面は閉じられる。
【００３１】
又図４の（Ｂ）の表示画面に於いて、Ｍｏｄｉｆｙ  Ｍｅｍｏボタンをクリックすると、図５の（Ｅ）に示すＭｏｄｉｆｙ  Ｍｅｍｏ画面が表示され、先に入力されたメモ情報の例えば「注意事項：高速のＬｉｎｋを接続すること。」が表示され、その内容を変更する入力操作に従って表示内容も更新される。そして、ＯＫボタンをクリックすると、図４の（Ｂ）に示すＭｏｄｉｆｙ  Ｍａｃｒｏ  Ｍｅｎｕ画面のＭｅｎｕ  Ｌｉｓｔ欄のＭｏｍｅの内容が更新され、Ｍｏｄｉｆｙ  Ｍｅｍｏ画面は閉じられる。
【００３２】
図６はマクロメニューを削除する時の表示画面を示し、図２のメイン画面２１のプルダウンメニュー２２のＤｅｌｅｔｅ  Ｍａｃｒｏ  Ｍｅｎｕを選択することにより、削除マクロメニュー（Ｄｅｌｅｔｅ  Ｍａｃｒｏ  Ｍｅｎｕ）画面が表示される。この場合、Ｍａｃｒｏ  Ｍｅｎｕ  Ｌｉｓｔ欄には、第２の記憶手段８に登録されたマクロメニュー名の「１．Ｇｒｏｕｐ登録〜Ｌｉｎｋ登録」と、「２．Ｓｈｅｌｆ増設」と、「３．パス開通」とが表示された場合を示し、メニュー名を選択してＯＫボタンをクリックすると、選択されたメニュー名が削除されて、この画面は閉じられる。又Ａｐｐｌｙボタンをクリックすると、選択されたメニュー名が削除され、この画面は開いた状態を継続する。従って、次に選択されたメニュー名の削除を行うことができる。
【００３３】
図７〜図１０は、マクロメニュー実行時の表示画面の遷移状態を示すもので、図７の（Ａ）は、図２のメイン画面２１のプルダウンメニュー２２のＳｔａｒｔＭａｃｒｏ  Ｍｅｎｕを選択した場合の起動マクロメニュー（Ｓｔａｒｔ  Ｍａｃｒｏ  Ｍｅｎｕ）画面を示す。この場合、マクロメニュー実行手段９（図１参照）が起動されることになり、それによるＳｔａｒｔ  Ｍａｃｒｏ  Ｍｅｎｕ画面のＭａｃｒｏ  Ｍｅｎｕ  Ｌｓｉｔ欄は、図４の（Ａ）に示すものと同一の場合を示している。
【００３４】
そして、Ｍａｃｒｏ  Ｍｅｎｕ  Ｌｉｓｔ欄に一覧表示されたマクロメニュー名の例えば「１．Ｇｒｏｕｐ登録〜Ｌｉｎｋ登録」を選択してＯＫボタンをクリックすると、ネットワークシステムに於ける伝送装置等を管理するグループと伝送装置等の間のリンクとの登録処理を行うマクロメニューの実行が開始される。この場合、図７の（Ｂ）のＡｄｄ  Ｇｒｏｕｐ画面が表示される。以下、図３の（Ａ）のＡｄｄ  Ｍａｃｒｏ  Ｍｅｎｕ画面のＭｅｎｕ  Ｌｉｓｔ欄に表示されている内容が、第２の記憶手段８に登録されている場合について説明する。
【００３５】
図７の（Ｂ）のＡｄｄ  Ｇｒｏｕｐ画面には、上位グループを示すＰａｒｅｎｔ  Ｇｒｏｕｐと、その下位のグループを示すＧｒｏｕｐとの欄とがあり、例えば、ネットワークシステムに於ける伝送装置を管理する例えば地域についての上位グループと下位グループとの関係を示し、ユーザインタフェース部１のキーボード等の入力手段により、Ｐａｒｅｎｔ  Ｇｒｏｕｐとして「東日本」、Ｇｒｏｕｐとして「東京」を入力した状態を示す。そして、ＯＫボタンをクリックすると、Ｇｒｏｕｐの「東京」が管理情報として、データベース４（図１参照）に登録される。又マクロ情報として、Ｐａｒｅｎｔ  Ｇｒｏｕｐの「東日本」と、Ｇｒｏｕｐの「東京」とが記憶される。この場合の「東日本」や「東京」の入力データは、マクロ記憶情報として第３の記憶手段１１に記憶される。なお、この場合の入力手段として、Ｓｅａｒｃｈボタンをクリックすると、図７の（Ｃ）に示すＳｅａｒｃｈ  Ｇｒｏｕｐ画面が表示されるから、Ｇｒｏｕｐ  Ｌｉｓｔから選択して入力することも可能である。
【００３６】
又図７の（Ｂ）の表示画面に於いて、ＯＫボタンではなく、Ｃａｎｃｅｌボタンをクリックすると、その時の処理がスキップされる。又ＥＸＩＴボタンをクリックすると、マクロメニューの実行が中止され、それ以降のメニューは実行されない。
【００３７】
図７に於けるマクロ情報記憶としてのＰａｒｅｎｔ  Ｇｒｏｕｐの「東日本」と、Ｇｒｏｕｐの「東京」とを入力したデータの登録処理が終了すると、図８の（Ｅ）に示すＡｄｄ  ＮＥ画面が表示される。この場合、ＧｒｏｕｐとＮＥＩＤとの欄に入力した状態を示す。このＧｒｏｕｐ欄は、ユーザインタフェース部１の入力手段から入力することも可能であるが、Ｓｅａｒｃｈボタンをクリックすると、図８の（Ｆ）に示すＳｅａｒｃｈ  Ｇｒｏｕｐ画面が表示されるから、Ｇｒｏｕｐ  Ｌｉｓｔ欄から選択して、ＯＫボタンをクリックすることにより入力することができる。又はＳｅａｒｃｈ  Ｍｅｍボタンをクリックすると、図８の（Ｇ）に示すＳｅａｒｃｈ  Ｍｅｍｍｏｒｙ  Ｇｒｏｕｐ画面が表示される。即ち、マクロ情報記憶して記憶された内容が表示されるから、その中から選択してＯＫボタンをクリックすることにより、入力することができる。
【００３８】
又ＮＥＩＤ欄は、新たに追加する装置名称を入力する欄に相当するから、ユーザインタフェース部１の入力手段により入力する。この場合「Ｆ６００Ｍ０００６０１」として入力した場合を示す。そして、ＯＫボタンをクリックすると、データベー４（図１参照）に、ネットワークシステムに追加された伝送装置ＮＥが、図９の「管理情報登録（ＮＥ）」として示すように登録され、又「マクロ情報記憶」として示すように、図８のＡｄｄ  ＮＥ画面に於けるＮＥＩＤ欄に登録される。この登録処理が終了すると、図９の（Ｈ）に示すＤｉｓｐｌａｙ  Ｍｅｍｏ画面が表示される。この画面には、マクロメニュー作成時に入力したメモ情報が表示される。
【００３９】
そして、ＯＫボタンをクリックすると、図９の（Ｉ）に示すＡｄｄ  Ｌｉｎｋ画面が表示される。そして、リンクを構成するＧｒｏｕｐとＮＥＩＤとを入力する。この場合、リンクの両端の伝送装置ＮＥについて設定することになり、Ｇｒｏｕｐ欄は「東京」、ＮＥＩＤ欄は「Ｆ６００Ｍ０００６０１」と、「Ｆ６００Ｍ０００６０２」とが入力された状態を示す。
【００４０】
このＡｄｄ  Ｌｉｎｋ画面に於けるデータの入力操作として、ＮＥＩＤ対応のＳｅａｒｃｈボタンをクリックすることにより、図１０の（Ｊ）に示すＳｅａｒｃｈ  ＮＥＩＤ画面が表示される。そこで、その中からＮＥＩＤを選択してクリックすることによって入力することができる。又ＮＥＩＤ対応のＳｅａｒｃｈ  Ｍｅｍボタンをクリックすると、図１０の（Ｋ）に示すＳｅａｒｃｈ  Ｍｅｍｏｒｙ  ＮＥＩＤ画面が表示される。これは、先にＮＥＩＤとして入力して登録された内容が表示されるものである。このＮＥＩＤの選択入力時は、図１０の（Ｊ）の画面に比較して、図１０の（Ｋ）の画面に表示されるＮＥＩＤの個数は少ないので、ＮＥＩＤの選択入力は容易となる。
【００４１】
そして、前述の入力操作が終了して、図９の（Ｉ）に示す画面に於いて、ＯＫボタンをクリックすると、図１０に於ける「管理情報登録（Ｌｉｎｋ）」として示すように、データベース４（図１参照）に登録される。従って、マクロメニュー実行時に、入力を必要とするデータを、データベース４から読出して一覧表示し、その中から選択してクリックすることにより、入力することができるから、入力操作が容易となる。そして、一連のマクロメニューの実行が完了すると、マクロメニュー実行中に記憶されたマクロ記憶情報は削除される。
【００４２】
図１１，図１２及び図１３は、本発明の実施の形態のフローチャートを示し、ステップ（Ａ１）〜（Ａ１８）について説明する。先ず、ユーザインタフェース部１（図１参照）からマクロメニュー作成手段６を起動することにより、図２に示すメイン画面２１を表示し、メニューバーのＭａｃｒｏのプルダウンメニュー２２を表示させ、Ａｄｄ  Ｍａｃｒｏ  Ｍｅｎｕを選択して、図３の（Ａ）に示すＡｄｄ  Ｍａｃｒｏ  Ｍｅｎｕ画面を開く（Ａ１）。そして、Ａｄｄ  Ｍａｃｒｏ  Ｍｅｎｕ画面のＭａｃｒｏ  Ｍｅｎｕ  Ｎａｍｅ欄に、作成するマクロメニュー名称を入力する（Ａ２）。
【００４３】
次に、作成するマクロメニューにメニューを追加するか否か、即ち、Ａｄｄ  Ｍｅｎｕボタンをクリックしたか否かを判定し（Ａ３）、このＡｄｄ  Ｍｅｎｕボタンをクリックした場合は、図３の（Ｂ）に示すＡｄｄ  Ｍｅｎｕ画面を開く（Ａ４）。そして、Ａｄｄ  Ｍｅｎｕ画面のＭｅｎｕ  Ｌｉｓｔ欄から、マクロメニューに追加したいメニューを一つ選択する。即ち、オペレーションシステムによりサポートされているメニュー名の一覧表示から一つのメニュー名を選択する。そして、他にも追加したいメニューがあるか否かを判定する（Ａ５）。
【００４４】
メニューを一つ選択した後、他のメニューを追加する場合は、Ａｐｐｌｙボタンをクリックする。それにより、選択したメニューがマクロメニューに追加され、Ａｄｄ  Ｍｅｎｕ画面は開いたままとなり（Ａ６）、ステップ（Ａ５）に移行する。又他のメニューを追加しない場合は、ＯＫボタンをクリックする。その場合は、選択したメニューがマクロメニューに追加され、Ａｄｄ  Ｍｅｎｕ画面は閉じることになる（Ａ７）。そして、次の処理に移行する。
【００４５】
又作成するマクロメニューにメモ（Ｍｅｍｏ）を追加するか否かを判定し（Ａ８）、追加しない場合は、次の処理に移行する。即ち、図３の表示画面のＡｄｄＭｅｍｏボタンをクリックしたか否かを判定する。クリックすると、図３の（Ｃ）に示すＡｄｄ  Ｍｅｍｏ画面を開く（Ａ９）。そして、Ａｄｄ  Ｍｅｍｏ画面のＭｅｍｏ欄にメッセージを入力する。図３の（Ｃ）に於いては、Ｍｅｍｏ欄に「注意事項：高速のＬｉｎｋに接続すること。」を入力した場合を示す。そして、他にも表示したいメッセージの有無を判定する（Ａ１０）。
【００４６】
他にも表示したいメッセージ有りの場合は、Ａｐｐｌｙボタンをクリックすると、入力したＭｅｍｏがマクロメニューに追加され、Ａｄｄ  Ｍｅｍｏ画面は開いたままとなる（Ａ１１）。そして、ステップ（Ａ１０）に移行する。又他にも表示したいメッセージ無しの場合は、ＯＫボタンをクリックする。それにより、入力したＭｅｍｏがマクロメニューに追加され、Ａｄｄ  Ｍｅｍｏ画面は閉じられる（Ａ１２）。そして、次の処理に移行する。
【００４７】
又作成したマクロメニューの実行順序を変更するか否かを判定し（Ａ１３）、変更しない場合は、次の処理に移行し、変更する場合は、Ａｄｄ  Ｍａｃｒｏ  Ｍｅｎｕ画面のＭｅｎｕ  Ｌｉｓｔから実行順序を変更したいメニューを選択し、ＵＰボタン又はＤｏｗｎボタンをクリックして、選択したメニューの順序変更を行う（Ａ１４）。
【００４８】
又作成したマクロメニューを保存するか否かを判定し（Ａ１５）、保存しない場合は終了とし、保存する場合は、更にその後にマクロメニューを作成するか否かを判定する（Ａ１６）。作成しない場合は、ＯＫボタンをクリックする。それにより、作成したマクロメニューが保存・追加されて、Ａｄｄ  Ｍａｃｒｏ  Ｍｅｎｕ画面は閉じられて（Ａ１８）、終了となる。又マクロメニューを更に作成する場合、Ａｐｐｌｙボタンをクリックすると、作成したマクロメニューが保存・追加され、Ａｄｄ  Ｍａｃｒｏ  Ｍｅｎｕ画面は開いたままとなり（Ａ１７）、ステップ（Ａ２）に移行する。
【００４９】
本発明は、前述の実施の形態のみに限定されるものではなく、種々付加変更することが可能であり、例えば、ネットワークシステムに於ける登録や増設等のマクロメニューの作成のみでなく、他のシステム等に於けるマクロメニューの作成にも適用することができる。又表示画面についても、図示の内容に限定されるものではなく、既に知られている各種の表示手段を適用することができる。
【００５０】
【発明の効果】
以上説明したように、本発明は、実際のオペレーションを実行することなく、オペレーションシステムによりサポートされている第１の記憶手段５に格納されたメニューリストを表示して順次選択することにより、マクロメニューを作成することができるものであり、従って、従来のように、オペレーションを一旦実行することにより、メニュー履歴を保存して、マクロメニューを作成する場合に比較して、マクロメニューのみを作成する場合に、オペレーションの実行前の状態に復帰させる処理が必要でなく、又表示画面を利用して所望のマクロメニューを作成することができる利点があり、又マクロメニュー対応のメモ情報を含めて登録ことにより、マクロメニュー実行時に、メニュー実行の合間にメモリ情報が表示される状態となり、操作が容易となる利点がある。又マクロメニュー実行時に入力する必要のデータをマクロ情報記憶として第３の記憶手段１１に記憶させることにより、共通入力項目については、入力操作が簡単となる。
【図面の簡単な説明】
【図１】本発明の実施の形態の機能ブロック図である。
【図２】表示画面の説明図である。
【図３】表示画面の説明図である。
【図４】表示画面の説明図である。
【図５】表示画面の説明図である。
【図６】削除時の表示画面の説明図である。
【図７】マクロメニュー実行時の表示画面の説明図である。
【図８】マクロメニュー実行時の表示画面の説明図である。
【図９】マクロメニュー実行時の表示画面の説明図である。
【図１０】マクロメニュー実行時の表示画面の説明図である。
【図１１】本発明の実施の形態のフローチャートである。
【図１２】本発明の実施の形態のフローチャートである。
【図１３】本発明の実施の形態のフローチャートである。
【符号の説明】
１  ユーザインタフェース部
２  メニュー実行手段
３  管理情報検索手段
４  データベース
５  第１の記憶手段
６  マクロメニュー作成手段
７  メニュー検索手段
８  第２の記憶手段
９  マクロメニュー実行手段
１０  マクロメニュー検索手段
１１  第３の記憶手段
１２  マクロ記憶情報検索手段
１３  メモ情報作成手段
１４  メモ情報表示手段
２１  メイン画面
２２  プルダウンメニュー
【図１】
2004171098.tif 000003
【図２】
2004171098.tif 000004
【図３】
2004171098.tif 000005
【図４】
2004171098.tif 000006
【図５】
2004171098.tif 000007
【図６】
2004171098.tif 000008
【図７】
2004171098.tif 000009
【図８】
2004171098.tif 000010
【図９】
2004171098.tif 000011
【図１０】
2004171098.tif 000012
【図１１】
2004171098.tif 000013
【図１２】
2004171098.tif 000014
【図１３】
2004171098.tif 000015